(57)【要約】      （修正有）【課題】繰り返し記号の位置の演奏データをより容易に確認することが可能となる自動演奏装置および自動演奏方法を実現するためのプログラムを提供する。【解決手段】五線譜表示部は、五線譜を表示し、この五線譜上に操作者が貼り付けた楽譜記号（音符を含む）を表示する。制御データ表示部は、キーオンイベントの発音期間とベロシティを表示する。（ａ）の制御データ表示部には、４つの棒状図形４１ｋ（ｋ＝１，２，３，４）が表示されているが、各棒状図形４１ｋは、それぞれ、高さがベロシティ値を示し、幅が発音期間を示している。（ａ）の楽譜表示状態で、操作者が五線譜表示部に、１小節前の１小節分の演奏データをそのまま繰り返すことを示す繰り返し記号を貼り付けると、（ｂ）のように、その貼り付け位置に繰り返し記号４３が表示されるとともに、制御データ表示部に、その小節の所定種類の制御データ,（ｋ＝１，２，３，４）が表示される。【選択図】    図３
2005017732.tif 000002
【特許請求の範囲】
【請求項１】
供給または入力された演奏データおよび楽譜記号データに基づいて楽譜を表示する楽譜表示手段と、
該楽譜表示手段によって表示された楽譜上の任意の位置に、前記演奏データのうちの一部区間内のデータの繰り返し演奏を指示する繰り返し記号を貼り付ける貼り付け手段と、
該貼り付け手段によって貼り付けられた繰り返し記号によって繰り返し演奏が指示される前記一部区間内のデータを、当該繰り返し記号の貼り付け位置に対応する演奏データ位置にコピーするコピー手段と
を有することを特徴とする自動演奏装置。
【請求項２】
前記演奏データのうち、少なくとも一部が編集されたときには、前記コピー手段は、前記貼り付けられた繰り返し記号によって繰り返し演奏が指示される前記一部区間内のデータを、当該繰り返し記号の貼り付け位置に対応する演奏データ位置に再度コピーすることを特徴とする請求項１に記載の自動演奏装置。
【請求項３】
前記コピー手段によってコピーされた、前記繰り返し記号の貼り付け位置に対応する演奏データ位置の一部区間内のデータを表示する演奏データ表示手段をさらに有することを特徴とする請求項１または２に記載の自動演奏装置。
【請求項４】
供給または入力された演奏データおよび楽譜記号データに基づいて、楽譜表示手段に楽譜を表示する楽譜表示手順と、
前記楽譜表示手段に表示された楽譜上の任意の位置に、前記演奏データのうちの一部区間内のデータの繰り返し演奏を指示する繰り返し記号を貼り付ける貼り付け手段によって貼り付けられた繰り返し記号によって繰り返し演奏が指示される前記一部区間内のデータを、当該繰り返し記号の貼り付け位置に対応する演奏データ位置にコピーするコピー手順と
をコンピュータに実行させるためのプログラム。
【発明の詳細な説明】
【０００１】
【発明の属する技術分野】
本発明は、楽譜表示上で繰り返し記号を貼り付けることにより、対応する演奏データを入力する機能を含む自動演奏装置および自動演奏方法を実現するプログラムに関する。
【０００２】
【従来の技術】
楽譜を表示し、その楽譜上に、選択した楽譜記号を貼り付けていくことで、演奏データを作成する機能を含む自動演奏装置は、従来から知られている。
【０００３】
このような自動演奏装置として、選択可能な楽譜記号の中に、前方の所定範囲の演奏データをそのまま繰り返すことを示す繰り返し記号を設け、この繰り返し記号を楽譜上に貼り付けることで、同じ演奏データを重複して貼り付けなければならないという手間を省くようにしたものがあり（たとえば、特許文献１参照）、これにより、操作が簡単化されるとともに、楽譜自体も見やすいものになる。
【０００４】
【特許文献１】
特公平３−２４６７９号公報（第４図等）
【０００５】
【発明が解決しようとする課題】
しかし、上記従来の自動演奏装置では、楽譜上には確かに繰り返し記号が表示されているものの、その繰り返し記号の位置に演奏データが実在しているかどうかは、実際に自動演奏させてみるまで分からず、視覚的に確認することはできなかった。
【０００６】
また、上記従来の自動演奏装置では、繰り返し記号を貼り付けた後、繰り返し記号が影響を受ける場所の演奏データが、操作者の編集作業（追加、削除および変更等）等により変化した場合に、繰り返し部分にもそれが反映されている保証はなく、反映されているかどうかは、同様に自動演奏させてみるまで分からなかった。
【０００７】
本発明は、この点に着目してなされたものであり、繰り返し記号の位置の演奏データをより容易に確認することが可能となる自動演奏装置および自動演奏方法を実現するためのプログラムを提供することを目的とする。
【０００８】
【課題を解決するための手段】
上記目的を達成するため、請求項１に記載の自動演奏装置は、供給または入力された演奏データおよび楽譜記号データに基づいて楽譜を表示する楽譜表示手段と、該楽譜表示手段によって表示された楽譜上の任意の位置に、前記演奏データのうちの一部区間内のデータの繰り返し演奏を指示する繰り返し記号を貼り付ける貼り付け手段と、該貼り付け手段によって貼り付けられた繰り返し記号によって繰り返し演奏が指示される前記一部区間内のデータを、当該繰り返し記号の貼り付け位置に対応する演奏データ位置にコピーするコピー手段とを有することを特徴とする。
【０００９】
好ましくは、前記演奏データのうち、少なくとも一部が編集されたときには、前記コピー手段は、前記貼り付けられた繰り返し記号によって繰り返し演奏が指示される前記一部区間内のデータを、当該繰り返し記号の貼り付け位置に対応する演奏データ位置に再度コピーすることを特徴とする。
【００１０】
さらに好ましくは、前記コピー手段によってコピーされた、前記繰り返し記号の貼り付け位置に対応する演奏データ位置の一部区間内のデータを表示する演奏データ表示手段をさらに有することを特徴とする。
【００１１】
また、請求項４に記載のプログラムは、請求項１と同様の技術的思想によって実現できる。
【００１２】
【発明の実施の形態】
以下、本発明の実施の形態を図面に基づいて詳細に説明する。
【００１３】
図１は、本発明の一実施の形態に係る自動演奏装置の概略構成を示すブロック図である。
【００１４】
同図に示すように、本実施の形態の自動演奏装置は、各種情報を入力するための複数のスイッチを含む設定操作子１と、該設定操作子１の操作状態を検出する検出回路２と、装置全体の制御を司るＣＰＵ３と、該ＣＰＵ３が実行する制御プログラムや、各種テーブルデータ等を記憶するＲＯＭ４と、演奏データ、楽譜記号データ、各種入力情報および演算結果等を一時的に記憶するＲＡＭ５と、タイマ割込み処理における割込み時間や各種時間を計時するタイマ６と、各種情報等を表示する、たとえば液晶ディスプレイ（ＬＣＤ）若しくはＣＲＴ（Ｃａｔｈｏｄｅ  Ｒａｙ  Ｔｕｂｅ）ディスプレイおよび発光ダイオード（ＬＥＤ）等を備えた表示装置７と、前記制御プログラムを含む各種アプリケーションプログラムや各種楽曲データ、各種データ等を記憶する外部記憶装置８と、外部からのＭＩＤＩ（Ｍｕｓｉｃａｌ  Ｉｎｓｔｒｕｍｅｎｔ  Ｄｉｇｉｔａｌ  Ｉｎｔｅｒｆａｃｅ）信号を入力したり、ＭＩＤＩ信号を外部に出力したりするＭＩＤＩインターフェース（Ｉ／Ｆ）９と、通信ネットワーク１０１を介して、たとえばサーバコンピュータ１０２とデータの送受信を行う通信インターフェース（Ｉ／Ｆ）１０と、演奏データ等を楽音信号に変換する音源回路１１と、該音源回路１１からの楽音信号に各種効果を付与するための効果回路１２と、該効果回路１２からの楽音信号を音響に変換する、たとえば、ＤＡＣ（Ｄｉｇｉｔａｌ−ｔｏ−Ａｎａｌｏｇ  Ｃｏｎｖｅｒｔｅｒ）やアンプ、スピーカ等のサウンドシステム１３とにより構成されている。
【００１５】
上記構成要素２〜１２は、バス１４を介して相互に接続され、ＣＰＵ３にはタイマ６が接続され、ＭＩＤＩＩ／Ｆ９には他のＭＩＤＩ機器１００が接続され、通信Ｉ／Ｆ１０には通信ネットワーク１０１が接続され、音源回路１１には効果回路１２が接続され、効果回路１２にはサウンドシステム１３が接続されている。
【００１６】
外部記憶装置８としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置８には、前述のように、ＣＰＵ３が実行する制御プログラムも記憶でき、ＲＯＭ４に制御プログラムが記憶されていない場合には、この外部記憶装置８に制御プログラムを記憶させておき、それをＲＡＭ５に読み込むことにより、ＲＯＭ４に制御プログラムを記憶している場合と同様の動作をＣＰＵ３にさせることができる。このようにすると、制御プログラムの追加やバージョンアップ等が容易に行える。
【００１７】
ＭＩＤＩＩ／Ｆ９は、専用のものに限らず、ＲＳ−２３２ＣやＵＳＢ（ユニバーサル・シリアル・バス）、ＩＥＥＥ１３９４（アイトリプルイー１３９４）等の汎用のインターフェースより構成してもよい。この場合、ＭＩＤＩメッセージ以外のデータをも同時に送受信してもよい。
【００１８】
通信Ｉ／Ｆ１０は、上述のように、たとえばＬＡＮ（Ｌｏｃａｌ  Ａｒｅａ  Ｎｅｔｗｏｒｋ）やインターネット、電話回線等の通信ネットワーク１０１に接続されており、該通信ネットワーク１０１を介して、サーバコンピュータ１０２に接続される。外部記憶装置１０に上記各プログラムや各種パラメータが記憶されていない場合には、通信Ｉ／Ｆ１０は、サーバコンピュータ１０２からプログラムやパラメータをダウンロードするために用いられる。クライアントとなるコンピュータ（本実施の形態では、自動演奏装置）は、通信Ｉ／Ｆ１０および通信ネットワーク１０１を介してサーバコンピュータ１０２へとプログラムやパラメータのダウンロードを要求するコマンドを送信する。サーバコンピュータ１０２は、このコマンドを受け、要求されたプログラムやパラメータを、通信ネットワーク１０１を介してコンピュータへと配信し、コンピュータが通信Ｉ／Ｆ１０を介して、これらプログラムやパラメータを受信して外部記憶装置８に蓄積することにより、ダウンロードが完了する。
【００１９】
なお、本実施の形態の自動演奏装置は、上述の構成から分かるように、汎用的なパーソナルコンピュータ上に構築されたものであるが、これに限らず、本発明を実施できる最小限要素のみから構成した専用装置上に構築してもよい。
【００２０】
図２は、演奏データと楽譜記号データの各データフォーマットの一例を示す図であり、本実施の形態では、演奏データと楽譜記号データはそれぞれ個別に生成するようにしている。
【００２１】
同図において、演奏データは、基本的には、イベントデータ２２ｎと、そのイベントの生成タイミングを示すタイミングデータ２１ｎとを一組とする複数組のシーケンス（ｎ＝１，２，…）によって構成され、演奏データの末尾には、該データの終わりを示すエンドデータ２３が配置されている。
【００２２】
各タイミングデータ２１ｎは、それぞれ、直後に位置するイベントデータ２２ｎの生成タイミングを、楽音再生の分解能（たとえば、９６分音符長）を単位とする整数値で表したものである。なお、生成タイミングの表現方法には、１つ前のイベントデータからの相対時間で表現するものや、曲や小節の先頭からの絶対時間で表現するものなど、様々な方法があるが、どの方法を採用してもよい。
【００２３】
各イベントデータ２２ｎは、それぞれ、音高を示すデータ、発音／消音を指示するデータおよびベロシティを示すデータ（図示せず）によって構成されている。なお、イベントデータが消音を指示するものである場合には、ベロシティを示すデータは通常必要ないので、この場合には、イベントデータ中にベロシティを示すデータを含ませないようにしてもよい。
【００２４】
楽譜記号データは、記号データ３２ｎと、その記号の楽譜上の表示位置を示す位置データ３１ｎとを一組とする複数組のシーケンス（ｎ＝１，２，…）によって構成され、楽譜記号データの末尾には、当該データの終わりを示すエンドデータ３３が配置されている。
【００２５】
位置データ３１ｎは、小節番号と小節内の表示（貼り付け）位置（ＸＹ座標）によって表現されている。もちろん、この表現方法は一例であり、楽譜上の表示位置が一意的に表現できる方法であれば、これに限る必要はない。たとえば、演奏データのように、タイミングデータで楽譜の横軸の位置を表現し、音高（この場合、音階音に限らず、その中間の音高も含む）で縦軸の位置を表現する方法が挙げられる。
【００２６】
記号データ３２ｎとしては、前方の所定範囲（たとえば、１小節前の１小節分）の演奏データをそのまま繰り返すことを示す繰り返し記号、音の強弱を示す強弱記号およびテンポを示すテンポ記号等が挙げられる。
【００２７】
なお、本実施の形態の自動演奏装置において、自動演奏をする際には、演奏データに基づいて行われ、楽譜を表示する際には、演奏データに基づいて音符を表示し、音符以外の記号については、楽譜記号データに基づいて表示する。
【００２８】
以上のように構成された自動演奏装置が実行する制御処理を、まず図３を参照してその概要を説明し、次に図４〜図８を参照して詳細に説明する。
【００２９】
本実施の形態の自動演奏装置は、演奏データを作成したり、作成した演奏データを編集したりするための演奏データ作成・編集モードを備え、該演奏データ作成・編集モードが選択されると、図３（ａ）に示すように、五線譜表示部と制御データ表示部が表示装置７上に上下対になって表示される。
【００３０】
五線譜表示部は、五線譜を表示し、この五線譜上に操作者が貼り付けた楽譜記号（音符を含む）を表示する。
【００３１】
制御データ表示部は、キーオンイベントの発音期間（キーオンタイミングとゲートタイム或いはキーオフタイミング）とベロシティを表示する。図３（ａ）の制御データ表示部には、４つの棒状図形４１ｋ（ｋ＝１，２，３，４）が表示されているが、各棒状図形４１ｋは、それぞれ、高さがベロシティ値を示し、幅が発音期間を示している。
【００３２】
図３（ａ）の楽譜表示状態で、操作者が五線譜表示部に、１小節前の１小節分の演奏データをそのまま繰り返すことを示す繰り返し記号を貼り付けると、図３（ｂ）に示すように、その貼り付け位置に繰り返し記号４３が表示されるとともに、制御データ表示部に、その小節の所定種類の制御データ（キーオンイベントの発音期間とベロシティ）の内容、具体的には、４つの棒状図形４２ｋ（ｋ＝１，２，３，４）が表示される。この場合、貼り付けられた繰り返し記号は、上述のように、１小節前の小節の演奏データをそのまま繰り返すものであるため、繰り返し記号の位置の制御データ表示部には、１小節前の小節の制御データ表示部の表示内容と同じものが表示される。
【００３３】
また、演奏データ作成・編集モード時に、操作者が演奏データを編集すると、既に貼り付けられている繰り返し記号をすべて検索し、この繰り返し記号によって参照される演奏データに基づいて、制御データ表示部に、その小節の特定種類の制御データの内容を再表示させるようにもしている。
【００３４】
次に、この制御処理を詳細に説明する。
【００３５】
本実施の形態の自動演奏装置は、本発明を特徴付ける制御処理として、
（１）繰り返し記号貼付処理
（２）演奏データ編集処理
の２種類の制御処理を行う。
【００３６】
図４は、上記（１）の繰り返し記号貼付処理の手順を示すフローチャートであり、図６は、この繰り返し記号貼付処理で実行されるサーチ＆コピー処理サブルーチンの手順を示すフローチャートである。
【００３７】
また、図５は、上記（２）の演奏データ編集処理の手順を示すフローチャートであり、この演奏データ編集処理でも、図６のサーチ＆コピー処理サブルーチンを実行している。
【００３８】
以下、（１）繰り返し記号貼付処理および（２）演奏データ編集処理を順に説明する。
【００３９】
まず、操作者が五線譜上で、繰り返し記号を任意の位置、たとえば図３（ｂ）に示す位置に貼り付ける（ステップＳ１）と、図７（ｂ）に示すように、楽譜記号データ中に、貼り付けた位置に対応した位置データと繰り返し記号データを挿入した（ステップＳ２）後、サーチ＆コピー処理サブルーチンを実行する（ステップＳ３）。
【００４０】
サーチ＆コピー処理サブルーチンでは、演奏データ中で、繰り返し記号の位置データに対応するタイミングから前に、繰り返し記号の長さに対応した範囲をサーチし（ステップＳ２１）、見つかったイベントデータとそのタイミングデータを、繰り返し記号の位置データに対応するタイミングから後ろにコピーする（ステップＳ２２）。すなわち、図３（ｂ）では、操作者は、１小節前の１小節分の演奏データを繰り返す繰り返し記号を貼り付けているので、この場合、サーチ＆コピー処理が実行されると、図８（ａ）に示すように、１小節前の１小節分の演奏データ、すなわち、その範囲内のイベントデータとそのタイミングデータがサーチされて、図８（ｂ）に示すように、繰り返し記号の位置データに対応するタイミングから後ろにコピーされる。
【００４１】
そして、コピーされた演奏データに基づいて、所定種類の制御データを制御データ表示部に表示する（ステップＳ４）。
【００４２】
このように、繰り返し記号が貼り付けられると、制御データ表示部に、その小節の特定種類の制御データの内容を表示するようにしたので、操作者は繰り返し記号に対応する位置の演奏データを視覚的に確認することができる。
【００４３】
次に、操作者が演奏データを編集する（ステップＳ１１）と、楽譜記号データに含まれる繰り返し記号を当該データの先頭からサーチし（ステップＳ１２）、繰り返し記号が見つかる度に、前記サーチ＆コピー処理サブルーチンを実行する（ステップＳ１３→Ｓ１４→Ｓ１５→Ｓ１３）。
【００４４】
そして、繰り返し記号が見つからなくなると、演奏データに基づいて、所定種類の制御データを制御データ表示部に表示する（ステップＳ１６）。
【００４５】
これにより、繰り返し記号が貼り付けられた後、繰り返し記号が影響を受ける場所の演奏データが変化（追加、削除および変更等）したとしても、繰り返し部分にもそれが確実に反映される。
【００４６】
なお、本実施の形態では、制御データ表示部に表示する所定種類の制御データとして、キーオンイベントの発音期間とベロシティを挙げたが、これに音高を加え、前記図３（ｂ）の各棒状図形４１ｋ，４２ｋ内または近傍に音高を文字で表示するようにしてもよい。また、これら３種類の制御データのうち、いずれか１種類だけ、または任意に組み合わせた２種類を表示するようにしてもよい。
【００４７】
また、本実施の形態では、表示装置７上に五線譜表示部と制御データ表示部が同時に表示されるようにしたが、これに限らず、五線譜表示モードと制御データ表示モードを設け、いずれかのモードに切り換えることにより、一方だけ表示できるようにしてもよい。さらに、これら２つのモードに、五線譜表示と制御データ表示を同時に表示するモードを加え、これら３つのモードを任意に切り換え可能に構成してもよい。
【００４８】
また、制御データ表示部の表示態様は、本実施の形態のような棒状図形に限らず、イベントデータの内容をリスト表示した態様や、ピアノロールを真似た態様等、他の態様のものを採用してもよい。
【００４９】
さらに、本実施の形態では、演奏データが編集された場合、対応する楽譜記号データに含まれるすべての繰り返し記号を検索し、該繰り返し記号によって参照される演奏データをコピーし直したが、これに限らず、編集の影響を実際に受けた演奏データを参照する繰り返し記号のみを検索し、該繰り返し記号によって参照される演奏データのみをコピーし直すようにしてもよい。たとえば、編集個所から後ろに繰り返し記号を検索し、最初に見つかった繰り返し記号のみによって参照される演奏データをコピーの対象にしたり、或いは、最初に見つかった繰り返し記号によって参照される演奏データが編集の影響を受けるか否かを判別し、その結果、影響を受けるときにのみ、その演奏データをコピーしたりする方法が考えられる。
【００５０】
また、繰り返し記号としては、１小節前の１小節分の演奏データをそのまま繰り返すことを示すもののみを例に挙げて説明したが、これは専ら説明の便宜に過ぎず、２小節や３小節などの他の小節単位のものを採用してもよいし、小節より短い区間を単位とするものを採用してもよい。長さの異なる区間毎に、表示態様の異なる繰り返し記号を設けておき、操作者がいずれかを選択して貼り付けることができるように構成すれば、操作性がより向上する。
【００５１】
さらに、演奏データおよび楽譜記号データは、本実施の形態では、それぞれ個別に生成するようにしたが、これに限らず、演奏データに楽譜記号データを含ませるようにしてもよい。この場合、記号データの表示位置を示す位置データは、前述のように、演奏データのタイミングデータと同様のフォーマットのものを採用した方が簡便に制御処理を行うことができるので好ましいが、もちろん、これに限る必要はない。また、演奏データおよび楽譜記号データは、本実施の形態では、操作者が一つずつ入力することで生成されることを想定しているが、もちろん、既製のものを使い、それを適宜編集するようにしてもよい。
【００５２】
なお、上述した実施の形態の機能を実現するソフトウェアのプログラムコードを記録した記憶媒体を、システムまたは装置に供給し、そのシステムまたは装置のコンピュータ（またはＣＰＵ３やＭＰＵ）が記憶媒体に格納されたプログラムコードを読出し実行することによっても、本発明の目的が達成されることは言うまでもない。
【００５３】
この場合、記憶媒体から読出されたプログラムコード自体が本発明の新規な機能を実現することになり、そのプログラムコードを記憶した記憶媒体は本発明を構成することになる。
【００５４】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００５５】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００５６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ３などが実際の処理の一部または全部を行い、その処理によって上述した実施の形態の機能が実現される場合も含まれることは言うまでもない。
【００５７】
【発明の効果】
以上説明したように、請求項１または４に記載の発明によれば、供給または入力された演奏データおよび楽譜記号データに基づいて、楽譜表示手段に楽譜が表示され、貼り付け手段を用いて、該楽譜上のいずれかの位置に繰り返し記号が貼り付けられると、該貼り付けられた繰り返し記号によって繰り返し演奏が指示される前記一部区間内のデータが、当該繰り返し記号の貼り付け位置に対応する演奏データ位置にコピーされるので、貼り付けられた繰り返し記号の位置に演奏データが実在することになり、繰り返し記号の位置の演奏データを視覚化させる制御処理が簡単化する。
【００５８】
また、請求項２に記載の発明によれば、前記演奏データのうち、少なくとも一部が編集されたときには、前記貼り付けられた繰り返し記号によって繰り返し演奏が指示される前記一部区間内のデータが、当該繰り返し記号の貼り付け位置に対応する演奏データ位置に再度コピーされるので、繰り返し記号が貼り付けられた後、繰り返し記号が影響を受ける場所の演奏データが変化したとしても、繰り返し部分にもそれが確実に反映される。
【００５９】
さらに、請求項３に記載の発明によれば、前記コピーされた、前記繰り返し記号の貼り付け位置に対応する演奏データ位置の一部区間内のデータが表示されるので、操作者は繰り返し記号に対応する位置の演奏データを視覚的に確認することができる。
【図面の簡単な説明】
【図１】本発明の一実施の形態に係る自動演奏装置の概略構成を示すブロック図である。
【図２】演奏データと楽譜記号データの各データフォーマットの一例を示す図である。
【図３】繰り返し記号を貼り付ける前後の各楽譜表示の一例を示す図である。
【図４】繰り返し記号貼付処理の手順を示すフローチャートである。
【図５】演奏データ編集処理の手順を示すフローチャートである。
【図６】図４の繰り返し記号貼付処理および図５の演奏データ編集処理で実行されるサーチ＆コピー処理サブルーチンの手順を示すフローチャートである。
【図７】繰り返し記号を貼り付ける前後の各楽譜記号データの一例を示す図である。
【図８】繰り返し記号を貼り付ける前後の各演奏データの一例を示す図である。
【符号の説明】
１…設定操作子（貼り付け手段），２…検出回路（貼り付け手段），３…ＣＰＵ（楽譜表示手段、貼り付け手段、コピー手段、演奏データ表示手段），４…ＲＯＭ，５…ＲＡＭ，７…表示装置（楽譜表示手段、演奏データ表示手段），８…外部記憶装置
【図１】
2005017732.tif 000003
【図２】
2005017732.tif 000004
【図３】
2005017732.tif 000005
【図４】
2005017732.tif 000006
【図５】
2005017732.tif 000007
【図６】
2005017732.tif 000008
【図７】
2005017732.tif 000009
【図８】
2005017732.tif 000010